(57)【要約】【課題】両観察光学系の光軸がなす角度を調節することにより近距離の物体でも二重に見えることなく快適に観察することができるとともに、構造が簡単で、高い加工精度および組立精度を必要とすることなく、良好な光学性能を発揮することができる双眼鏡を提供すること。【解決手段】本発明の双眼鏡１は、左目用の観察光学系を含む左半体２Ｌと、右目用の観察光学系を含む右半体２Ｒと、左半体２Ｌと右半体２Ｒとを相対的に回動可能に連結し、その回動軸心３０が側面視で観察光学系の光軸ＯＬ、ＯＲに対し傾斜している回動連結部３と、左半体２Ｌと右半体２Ｒとを回動連結部３にて相対的に回動させることによらずに眼幅を調整する眼幅調整機構とを備える。左半体２Ｌと右半体２Ｒとを回動連結部３にて相対的に回動させることにより、両観察光学系の光軸ＯＬ、ＯＲが互いに平行な状態と、両観察光学系の光軸ＯＬ、ＯＲが前方で互いに交わる状態とをとり得る。【選択図】図５
2005309095.tif 000002
【特許請求の範囲】
【請求項１】
左目用の観察光学系を含む左半体と、
右目用の観察光学系を含む右半体と、
前記左半体と右半体とを相対的に回動可能に連結し、その回動軸心が側面視で前記観察光学系の光軸に対し傾斜している回動連結部と、
前記左半体と前記右半体とを前記回動連結部にて相対的に回動させることによらずに眼幅を調整する眼幅調整機構とを備え、
前記左半体と前記右半体とを前記回動連結部にて相対的に回動させることにより、前記両観察光学系の光軸が互いに平行な状態と、前記両観察光学系の光軸が前方で互いに交わる状態とをとり得るように構成されていることを特徴とする双眼鏡。
【請求項２】
前記両観察光学系の光軸が互いに平行な状態のとき、前記回動連結部の回動軸心の延長線は、前記両観察光学系の接眼光学系の後端面の中心同士を結ぶ線分の付近を通る請求項１に記載の双眼鏡。
【請求項３】
前記回動連結部の回動軸心は、側面視で対物側が高く接眼側が低くなる向きに傾斜している請求項１または２に記載の双眼鏡。
【請求項４】
前記眼幅調整機構は、２軸式のものである請求項１ないし３のいずれかに記載の双眼鏡。
【請求項５】
前記眼幅調整機構は、スライド式のものである請求項１ないし３のいずれかに記載の双眼鏡。
【発明の詳細な説明】
【技術分野】
【０００１】
本発明は、双眼鏡に関する。
【背景技術】
【０００２】
一般的な双眼鏡で無限遠を観察した場合、左眼に見える観察視野と右眼に見える観察視野はほぼ完全に重なり、両眼で一つの観察視野に見える。その双眼鏡で数ｍ以下の近距離を観察した場合、左眼と右眼の観察視野の重なる領域が一部しかなくなり、見づらく感じられる。これは一般的な双眼鏡では、主に無限遠〜数十ｍ先の対象を観察することを基本として、左右の対物レンズ光軸を平行に固定しているからであり、その双眼鏡で近距離を観察すると、対象に対する調節値（合焦対象までの距離、ディオプタ[dptr]=[1/メートル]）と「輻輳値」（左右の視線が交差する距離、メートル角[MW]=[1/メートル]）とがあまりにも大きく食い違ってしまうからである。対象を高い倍率で観察する双眼鏡の場合はこの食い違いの影響は顕著で、例えば１０倍の双眼鏡では、この食い違いも１０倍になるということであり、この大きな「調節値と輻輳値の食い違い」は眼に負担で、非常に疲れるのである（「輻輳」とは近距離の対象物を見ようとするときに両眼の視軸が集中することであり、その両視軸を挟む角度を「輻輳角」という）。
【０００３】
この問題に鑑み、双眼鏡で近距離を観察するときに両眼の負担を軽減すべく、下記特許文献１ないし３では、近距離を観察する場合に両対物レンズを光軸と直交する方向に移動して互いに接近させることによって、調節値に合わせて輻輳値（輻輳角）を補正する機構を設けた双眼鏡が提案されている。
【０００４】
しかしながら、特許文献１ないし３に記載された双眼鏡は、対物レンズを光軸と直交する方向へ移動させるために複雑な構造になり、必要な加工精度および組立精度の確保が難しいので、良好な光学性能が得にくく、故障もし易い。また、製造も困難となり、製造コストが大幅に増大する。
【０００５】
【特許文献１】特許第３０９０００７号公報
【特許文献２】特許第３１９６６１３号公報
【特許文献３】特許第３１８９３２８号公報
【発明の開示】
【発明が解決しようとする課題】
【０００６】
本発明の目的は、両観察光学系の光軸がなす角度を調節することにより近距離の物体でも二重に見えることなく快適に観察することができるとともに、構造が簡単で、高い加工精度および組立精度を必要とすることなく、良好な光学性能を発揮することができる双眼鏡を提供することにある。
【課題を解決するための手段】
【０００７】
このような目的は、下記（１）〜（５）の本発明により達成される。
（１）  左目用の観察光学系を含む左半体と、
右目用の観察光学系を含む右半体と、
前記左半体と右半体とを相対的に回動可能に連結し、その回動軸心が側面視で前記観察光学系の光軸に対し傾斜している回動連結部と、
前記左半体と前記右半体とを前記回動連結部にて相対的に回動させることによらずに眼幅を調整する眼幅調整機構とを備え、
前記左半体と前記右半体とを前記回動連結部にて相対的に回動させることにより、前記両観察光学系の光軸が互いに平行な状態と、前記両観察光学系の光軸が前方で互いに交わる状態とをとり得るように構成されていることを特徴とする双眼鏡。
【０００８】
これにより、両観察光学系の光軸がなす角度、すなわち輻輳角の調節が可能となるので、近距離の物体を観察する場合であっても、輻輳角を調節することにより、左目で見た観察像と右目で見た観察像とがずれて二重に見えるのを防止することができる。よって、目が疲労することなく、見易く快適に観察することができる。
また、極めて簡単な構造で輻輳角を調節することができるので、高い加工精度および組立精度を必要とすることなく、優れた光学性能が得られる。また、特許文献１ないし３に記載された双眼鏡のように対物レンズを光軸と直交する方向へ移動（偏心）させることはないので、輻輳角調節に伴う光学性能の劣化が全くない。さらに、部品点数が少なく製造・組立も容易であるので、低コストで製造することができる。
【０００９】
（２）  前記両観察光学系の光軸が互いに平行な状態のとき、前記回動連結部の回動軸心の延長線は、前記両観察光学系の接眼光学系の後端面の中心同士を結ぶ線分の付近を通る上記（１）に記載の双眼鏡。
【００１０】
これにより、輻輳角を調節した場合であっても、眼幅がほとんど変化しないので、眼幅の再調整が不要である。よって、極めて優れた操作性が得られる。
【００１１】
（３）  前記回動連結部の回動軸心は、側面視で対物側が高く接眼側が低くなる向きに傾斜している上記（１）または（２）に記載の双眼鏡。
これにより、双眼鏡の小型化が図れる。
【００１２】
（４）  前記眼幅調整機構は、２軸式のものである上記（１）ないし（３）のいずれかに記載の双眼鏡。
これにより、比較的簡単な構造で眼幅調整機構を構成することができる。
【００１３】
（５）  前記眼幅調整機構は、スライド式のものである上記（１）ないし（３）のいずれかに記載の双眼鏡。
これにより、比較的簡単な構造で眼幅調整機構を構成することができる。
【発明の効果】
【００１４】
本発明の双眼鏡によれば、両観察光学系の光軸がなす角度、すなわち輻輳角の調節が可能となるので、近距離の物体を観察する場合であっても、輻輳角を調節することにより、左目で見た観察像と右目で見た観察像とがずれて二重に見えるのを防止することができる。よって、目が疲労することなく、見易く快適に観察することができる。
また、極めて簡単な構造で輻輳角を調節することができるので、高い加工精度および組立精度を必要とすることなく、優れた光学性能が得られる。また、対物レンズを光軸と直交する方向へ移動（偏心）させることはないので、輻輳角調節に伴う光学性能の劣化が全くない。さらに、部品点数が少なく製造・組立も容易であるので、低コストで製造することができる。
【発明を実施するための最良の形態】
【００１５】
以下、本発明の双眼鏡を添付図面に示す好適な実施形態に基づいて詳細に説明する。
＜第１実施形態＞
図１は、本発明の第１実施形態の双眼鏡を示す平面図（上面図）、図２は、図１に示す双眼鏡の正面図、図３は、図２に示す状態から眼幅を広げた状態の双眼鏡を示す正面図、図４は、図２中のＸ−Ｘ線での断面側面図、図５は、図１に示す双眼鏡の両観察光学系の光軸が前方で互いに交わる状態としたときの平面図、図６は、輻輳角を補正したときに眼幅がほとんど変化しないことを説明するための双眼鏡の正面図である。
なお、以下では、図１および図５中の上側を「前」、図１および図５中の下側を「後」として説明する。
【００１６】
これらの図に示す双眼鏡１は、正立光学系としてダハプリズムを用いた双眼鏡である。また、この双眼鏡１は、２軸式の眼幅調整機構を備えている。
【００１７】
図１に示すように、双眼鏡１は、左目用の観察光学系を含む左半体２Ｌと、右目用の観察光学系を含む右半体２Ｒと、左半体２Ｌと右半体２Ｒとを相対的に回動可能に連結する蝶番（回動連結部）３とを有している。
【００１８】
左半体２Ｌは、ほぼ円筒形をなす左鏡筒２１Ｌと、左鏡筒２１Ｌを支持する左ブリッジ２２Ｌとを有している。
【００１９】
左鏡筒２１Ｌ内には、図示しない対物光学系および正立光学系（ダハプリズム）と、接眼光学系２３Ｌとからなる観察光学系が内蔵されている。また、左鏡筒２１Ｌの上部には、眼幅調整軸２４Ｌを観察光学系の光軸ＯＬと平行に保持する突出部２１３Ｌが形成されている。
【００２０】
左鏡筒２１Ｌと左ブリッジ２２Ｌとは、眼幅調整軸２４Ｌを介して相対的に回動可能に連結されている。この連結部には、適切な摩擦が与えられた構成となっており、左鏡筒２１Ｌを左ブリッジ２２Ｌに対し手動で回動させることができるとともに、その可動範囲内の任意の位置でその状態を保持することができるようになっている。
【００２１】
同様に、右半体２Ｒは、ほぼ円筒形をなす右鏡筒２１Ｒと、右鏡筒２１Ｒを支持する右ブリッジ２２Ｒとを有している。
【００２２】
右鏡筒２１Ｒ内には、図示しない対物光学系および正立光学系（ダハプリズム）と、接眼光学系２３Ｒからなる観察光学系が内蔵されている。また、右鏡筒２１Ｒの上部には、眼幅調整軸２４Ｒを観察光学系の光軸ＯＲと平行に保持する突出部２１３Ｒが形成されている。
【００２３】
右鏡筒２１Ｒと右ブリッジ２２Ｒとは、眼幅調整軸２４Ｒを介して相対的に回動可能に連結されている。この連結部には、適切な摩擦が与えられた構成となっており、右鏡筒２１Ｒを右ブリッジ２２Ｒに対し手動で回動させることができるとともに、その可動範囲内の任意の位置でその状態を保持することができるようになっている。
【００２４】
左鏡筒２１Ｌ、右鏡筒２１Ｒの後端部には、それぞれ、光軸ＯＬ、ＯＲ方向に移動可能な目当て２１２Ｌ、２１２Ｒが設置されている。使用者は、眼鏡着用の有無や、顔の彫りの深さの違いなどに応じ、目当て２１２Ｌ、２１２Ｒの位置を自分に合わせて調整する。
【００２５】
左鏡筒２１Ｌ、右鏡筒２１Ｒの前端部は、対物光学系を保持する対物鏡筒２１１Ｌ、対物鏡筒２１１Ｒで構成されている。この対物鏡筒２１１Ｌ、対物鏡筒２１１Ｒは、回転可能に設置されており、回転させるとねじの作用によって光軸ＯＬ、ＯＲ方向にそれぞれ移動するように構成されている。よって、対物鏡筒２１１Ｌ、対物鏡筒２１１Ｒを回転させて光軸ＯＬ、ＯＲ方向に移動させることにより、ピントを調整することができる。なお、ピントの調整は、このような構成に限らず、接眼光学系を光軸方向に移動させて行うように構成されていてもよい。
【００２６】
図２に示すように、蝶番３は、左ブリッジ２２Ｌの右端部に連続して形成された左半片３１と、右ブリッジ２２Ｒの左端部に連続して形成された右半片３２と、これらを連結する蝶番軸３３とで構成されている。
【００２７】
蝶番３は、適切な摩擦が与えられた構成となっており、使用者が両手で左半体２Ｌ、右半体２Ｒをそれぞれ把持して力を加えることにより、左半片３１と右半片３２との開き角度を可動範囲内で調整することができるとともに、その開き角度を可動範囲内の任意の角度で保持することができるようになっている。
【００２８】
図２に示す状態では、左半片３１と右半片３２とが完全に閉じた状態になっており、この状態では両観察光学系の光軸ＯＬ、ＯＲが互いに平行となる（図１参照）。このように両観察光学系の光軸ＯＬ、ＯＲが互いに平行な状態を以下「輻輳角０°の状態」という。
【００２９】
双眼鏡１では、左鏡筒２１Ｌ、右鏡筒２１Ｒを左ブリッジ２２Ｌ、右ブリッジ２２Ｒに対し眼幅調整軸２４Ｌ、２４Ｒを中心にそれぞれ回動させることにより、両接眼光学系２３Ｌ、２３Ｒの中心ＣＬ、ＣＲ間距離を変化させることができる。例えば、図２に示す状態から左鏡筒２１Ｌ、右鏡筒２１Ｒをそれぞれ時計回り、反時計回りに回動させることにより、図３に示すように両接眼光学系２３Ｌ、２３Ｒの中心ＣＬ、ＣＲ間距離を大きくすることができる。このようにして、眼幅を調節することができる。
【００３０】
図４に示すように、蝶番３の左半片３１、右半片３２の下端部には、それぞれ、蝶番軸３３を保持する軸受３１１、３２１が形成されている。
【００３１】
図４のように側面視したとき、蝶番軸３３の中心線、すなわち蝶番３の回動軸心３０は、観察光学系の光軸ＯＬ、ＯＲに対し傾斜している。図示の構成では、回動軸心３０は、対物側が高く接眼側が低くなる向きに傾斜している。なお、以下の説明では、蝶番軸３３の中心線とその延長線とを含めて単に「回動軸心３０」と言う。
【００３２】
上記のように回動軸心３０が観察光学系の光軸ＯＬ、ＯＲに対し傾斜していることにより、蝶番３の左半片３１、右半片３２を開くようにして左半体２Ｌと右半体２Ｒとを相対的に回動させると、図５に示すように、両観察光学系の光軸ＯＬ、ＯＲが非平行となり、光軸ＯＬ、ＯＲが前方で互いに交わる状態にすることができる。
【００３３】
双眼鏡１では、例えば３〜５ｍ以内程度の近距離を観察する際には、図５に示すような状態とすることにより、左目で見た観察像と右目で見た観察像とがずれて二重に見えるのを防止することができる。よって、近距離を観察する場合であっても、目が疲労することなく、見易く快適に観察することができる。
【００３４】
この場合、両観察光学系の光軸ＯＬ、ＯＲがなす角度、すなわち輻輳角は、蝶番３の開き角度を調整することにより、両目の観察像が重なるように自由に調節することができる。
【００３５】
また、双眼鏡１では、蝶番３を設けるだけの極めて簡単な構造で輻輳角を調節することができるので、高い加工精度および組立精度を必要とすることなく、優れた光学性能が得られる。さらに、部品点数が少なく製造・組立も容易であるので、低コストで製造することができる。
【００３６】
また、本実施形態では、両接眼光学系２３Ｌ、２３Ｒの後端面の中心ＣＬ、ＣＲ同士を結ぶ線分１００を仮想したとき（図２および図３参照）、両観察光学系の光軸ＯＬ、ＯＲが互いに平行な状態で蝶番３の回動軸心３０がこの線分１００付近を通るように構成されている（図４参照）。
【００３７】
これにより、本実施形態では、左半体２Ｌと右半体２Ｒとを蝶番３を介して相対的に回動させて輻輳角を調節した場合であっても、眼幅がほとんど変化しないという利点がある。以下、この原理について図４および図６を参照して説明する。
【００３８】
図４に示すように、目当て２１２Ｌ、２１２Ｒの後端面２１４Ｌ、２１４Ｒを含む平面と蝶番３の回動軸心３０との交点をＰ２、対物鏡筒２１１Ｌ、２１１Ｒの前端面２１５Ｌ、２１５Ｒを含む平面と蝶番３の回動軸心３０との交点をＰ３とすると、点Ｐ２および点Ｐ３は正面図上では図６に示すように位置する。なお、図６中の点Ｐ１は、輻輳角０°の状態における線分１００と蝶番３の回動軸心３０との交点である。
【００３９】
図６中の破線で示す円ＥＬ、ＥＲは、輻輳角０°の状態における目当て２１２Ｌ、２１２Ｒの後端面２１４Ｌ、２１４Ｒおよび対物鏡筒２１１Ｌ、２１１Ｒの前端面２１５Ｌ、２１５Ｒの位置を表している。
【００４０】
輻輳角０°の状態から蝶番３の左半片３１、右半片３２を角度θだけ開いて輻輳角を調節したとき、対物鏡筒２１１Ｌ、２１１Ｒの前端面２１５Ｌ、２１５Ｒは、図６に示す正面図中では点Ｐ３を中心に角度θ／２だけ回転変位するので、円ＦＬ、ＦＲで示す位置に移動する。なお、図６中の点Ｐ４は円ＥＲの中心であり、点Ｐ５は、円ＦＬの中心である。この移動では、対物鏡筒２１１Ｌ、２１１Ｒの前端面２１５Ｌ、２１５Ｒは、それぞれ、図６中のａで示す長さだけ内側に寄り、ｂで示す長さだけ下方に移動する。
【００４１】
これに対し、目当て２１２Ｌ、２１２Ｒの後端面２１４Ｌ、２１４Ｒは、点Ｐ２を中心に回転変位するので、円ＧＬ、ＧＲで示す位置に移動するが、この際、図６から分かるように横方向の位置はほとんど変化しない。すなわち、輻輳角を調節しても眼幅はほとんど変化しないこととなる。
【００４２】
したがって、本実施形態の双眼鏡１では、輻輳角を調節した場合であっても眼幅の再調整が不要であるので、極めて優れた操作性が得られる。
【００４３】
なお、上述した場合において輻輳角を調節したときの眼幅の変化は全くない訳ではないが、本発明のような輻輳角可変双眼鏡は近距離の昆虫類を観察するときなどに用いるのを主用途として想定しているものであるので、倍率が比較的低く、よって射出瞳が大きいので、多少の眼幅変化があっても実用上は眼幅の再調整は必要ない。
【００４４】
なお、図４では、蝶番３の回動軸心３０が正確に線分１００の位置を通っているが、上述した効果を得るためには回動軸心３０は線分１００の位置を正確に通る必要はなく、線分１００の付近を通ればよい。また、本実施形態のように眼幅調整機構が２軸式の場合には、眼幅調整によって線分１００の高さが僅かに変化するが（図２および図３参照）、この場合には、図４に示す側面図上での線分１００の移動範囲付近を蝶番３の回動軸心３０が通っていればよい。
【００４５】
＜第２実施形態＞
図７は、本発明の第２実施形態の双眼鏡を示す平面図、図８は、図７に示す双眼鏡の部分断面正面図、図９は、図８に示す状態から眼幅を広げた状態の双眼鏡を示す部分断面正面図である。以下、この図を参照して本発明の双眼鏡の第２実施形態について説明するが、前述した実施形態との相違点を中心に説明し、同様の事項はその説明を省略する。
【００４６】
これらの図に示す第２実施形態の双眼鏡１’は、眼幅調整機構がスライド式であること以外は前記第１実施形態と同様である。すなわち、双眼鏡１’における左ブリッジ２２Ｌおよび右ブリッジ２２Ｒは、それぞれ、観察光学系の光軸ＯＬ、ＯＲと垂直な方向に伸縮可能な構造になっている。
【００４７】
以下、左ブリッジ２２Ｌについて説明するが、右ブリッジ２２Ｒは左ブリッジ２２Ｌと左右対称の構造であるのでその説明は省略する。
【００４８】
図８に示すように、左ブリッジ２２Ｌは、相対的にスライド可能に重ねられた２枚の平板部材２２１、２２２を有している。平板部材２２１の左端部は、左鏡筒２１Ｌの上部に形成された突出部２１３Ｌに固定されており、平板部材２２２の右端部は、蝶番３の左半片３１に固定されている。
【００４９】
平板部材２２１には、光軸ＯＬと垂直な方向に長い長孔２２３が形成されている。平板部材２２２には二つのピン２２４が設置されており、これら二つのピン２２４が長孔２２３に挿入している。
【００５０】
長孔２２３の長さは、二つのピン２２４の間隔よりも長くなっている。これにより、二つのピン２２４が長孔２２３内を移動可能な距離だけ、平板部材２２１、２２２が光軸ＯＬと垂直な方向に相対的にスライド可能になっている。よって、左ブリッジ２２Ｌは、それと同じ長さだけ、光軸ＯＬと垂直な方向に伸縮可能になっている。
【００５１】
各ピン２２４の下端部にはフランジ２２５が形成されており、このフランジ２２５が平板部材２２１の下面に当接することにより、平板部材２２１、２２２が重ねて保持されている。
【００５２】
右ブリッジ２２Ｒも、同様な構造により、光軸ＯＲと垂直な方向に伸縮可能になっている。
【００５３】
平板部材２２１、２２２の間には適切な摩擦が与えられた構成となっており、左ブリッジ２２Ｌ、右ブリッジ２２Ｒは、手動で伸縮させることができるとともに、その任意の長さの状態を保持することができるようになっている。
【００５４】
このような構成により、双眼鏡１’では、左ブリッジ２２Ｌ、右ブリッジ２２Ｒの長さを伸縮させて左鏡筒２１Ｌ、右鏡筒２１Ｒを横方向にスライドさせることにより、図８に示す眼幅が最小の状態と、図９に示す眼幅が最大の状態との間で眼幅を調整することができる。
【００５５】
このような第２実施形態の双眼鏡１’によれば、前記第１実施形態と同様に輻輳角を調節することができ、同様の効果が得られる。
【００５６】
以上、本発明の双眼鏡を図示の実施形態について説明したが、本発明は、これに限定されるものではなく、双眼鏡を構成する各部は、同様の機能を発揮し得る任意の構成のものと置換することができる。
【００５７】
また、本発明は、上述した実施形態のようなダハプリズム方式の双眼鏡に限らず、いかなる方式の双眼鏡にも適用することができ、例えばポロプリズム方式の双眼鏡にも適用することができる。
【００５８】
また、眼幅調整機構の構造も図示の実施形態のような２軸式またはスライド式に限らず、いかなる方式のものでもよい。また、２軸式の場合、左・右の接眼光学系およびポロプリズムを左・右の対物光学系の光軸を中心としてそれぞれ回動させることによって眼幅を調整するタイプの２軸式（例えば特開昭６３−１６１４２４号公報に記載）であってもよい。
【００５９】
また、側面視における回動連結部の回動軸心の傾斜の向きは、図示の実施形態と逆になっていてもよい。
【図面の簡単な説明】
【００６０】
【図１】本発明の第１実施形態の双眼鏡を示す平面図（上面図）である。
【図２】図１に示す双眼鏡の正面図である。
【図３】図２に示す状態から眼幅を広げた状態の双眼鏡を示す正面図である。
【図４】図２中のＸ−Ｘ線での断面側面図である。
【図５】図１に示す双眼鏡の両観察光学系の光軸が前方で互いに交わる状態としたときの平面図である。
【図６】輻輳角を補正したときに眼幅がほとんど変化しないことを説明するための双眼鏡の正面図である。
【図７】本発明の第２実施形態の双眼鏡を示す平面図である。
【図８】図７に示す双眼鏡の部分断面正面図である。
【図９】図８に示す状態から眼幅を広げた状態の双眼鏡を示す部分断面正面図である。
【符号の説明】
【００６１】
１、１’      双眼鏡
２Ｌ          左半体
２Ｒ          右半体
２１Ｌ        左鏡筒
２１Ｒ        右鏡筒
２１１Ｌ、２１１Ｒ  対物鏡筒
２１２Ｌ、２１２Ｒ  目当て
２１３Ｌ、２１３Ｒ  突出部
２１４Ｌ、２１４Ｒ  後端面
２１５Ｌ、２１５Ｒ  前端面
２２Ｌ        左ブリッジ
２２Ｒ        右ブリッジ
２２１、２２２  平板部材
２２３        長孔
２２４        ピン
２２５        フランジ
２３Ｌ、２３Ｒ  接眼光学系
２４Ｌ、２４Ｒ  眼幅調整軸
３            蝶番
３０          回動軸心
３１          左半片
３１１        軸受
３２          右半片
３２１        軸受
３３          蝶番軸
１００        線分
【図１】
2005309095.tif 000003
【図２】
2005309095.tif 000004
【図３】
2005309095.tif 000005
【図４】
2005309095.tif 000006
【図５】
2005309095.tif 000007
【図６】
2005309095.tif 000008
【図７】
2005309095.tif 000009
【図８】
2005309095.tif 000010
【図９】
2005309095.tif 000011